(57)【特許請求の範囲】
【請求項１】
画像表示装置にデジタル方式の放送を受信するチューナモジュールを外付けし、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換えることを特徴とする放送受信方法。
【請求項２】
デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換えることを特徴とする請求項１に記載の放送受信方法。
【請求項３】
前記複数セグメント放送は、４セグメントの標準画質放送または１２セグメントの高品位画質放送であることを特徴とする請求項１または請求項２に記載の放送受信方法。
【請求項４】
前記画像表示装置は、ディスプレイを備えたパーソナルコンピュータであることを特徴とする請求項１〜請求項３のいずれかに記載の放送受信方法。
【請求項５】
デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換えることを特徴とする放送受信システム。
【請求項６】
デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換えることを特徴とする請求項５に記載の放送受信システム。
【請求項７】
前記複数セグメント放送は、４セグメントの標準画質放送または１２セグメントの高品位画質放送であることを特徴とする請求項５または請求項６に記載の放送受信システム。
【請求項８】
前記画像表示装置は、ディスプレイを備えたパーソナルコンピュータであることを特徴とする請求項５〜請求項７のいずれかに記載の放送受信システム。
【請求項９】
デジタル方式の放送を受信するチューナモジュールを内蔵し、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換えることを特徴とするパーソナルコンピュータ。
【請求項１０】
デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換えることを特徴とする請求項９に記載のパーソナルコンピュータ。
【請求項１１】
前記複数セグメント放送は、４セグメントの標準画質放送または１２セグメントの高品位画質放送であることを特徴とする請求項９または請求項１０に記載のパーソナルコンピュータ。
【請求項１２】
モニタを備えたパーソナルコンピュータと通信可能に接続され、デジタル方式のテレビジョン放送を受信して前記モニタに出力する放送受信装置であって、
１セグメント放送及び複数セグメント放送の一方を選択して受信する受信手段と、
前記パーソナルコンピュータからの視聴予約された放送の受信を開始する旨の情報である受信指示情報を受け付ける視聴開始受付手段と、
前記視聴開始受付手段によって受信指示情報が受け付けられた場合に、前記受信手段に対して複数セグメント放送を受信させる受信形態変更手段と、
を備えることを特徴とする放送受信装置。
【発明の詳細な説明】
【技術分野】
【０００１】
本発明は、デジタル放送の受信が可能な放送受信方法、放送受信システム、パーソナルコンピュータ、及び、放送受信装置（チューナモジュール）に関する。
【背景技術】
【０００２】
近年、パーソナルコンピュータに高度なＡＶ［Audio Visual］機能が搭載されているため、ＴＶ放送受信用のチューナモジュールを接続することによって、ディスプレイ上に放送番組コンテンツを表示させて視聴することが可能となり、また、放送番組コンテンツをＨＤＤ（ハードディスクドライブ）等の記録媒体に録画することが可能になっている。
【０００３】
また、ＴＶ放送は、アナログ放送からデジタル放送に移行しつつあり、パーソナルコンピュータに接続して使用されるチューナモジュールについても、デジタル放送受信用の機種が実用化され始めている。
【０００４】
日本の地上デジタル放送では、１つのチャンネルが１３の「セグメント」に分割されており、これをいくつか束ねて映像やデータ、音声などを送信している。例えば、ハイビジョン放送は１２セグメント必要だが、標準画質の放送は４セグメントで済むため、３つの異なる番組を１つのチャンネルで同時に放送することもできる。
【０００５】
なお、地上デジタル放送のハイビジョン放送では、映像の符号化規格として、ＭＰＥＧ［Moving Picture Expert Group］−２が採用されており、また、音声の符号化規格としては、ＡＡＣ［Advanced Audio Coding］が採用されている。また、ハイビジョン放送には、データ放送も多重化されている。
【０００６】
上記のセグメントのうち、１つを使用して放送を行うのが１セグメント放送（いわゆる１セグ放送）である。１セグメント放送では、帯域が通常放送の１／４と狭いため、ＱＶＧＡ［Quarter Video Graphics Array］（３２０×２４０ピクセル）サイズの低解像度の映像しか伝達できないが、１２セグメントを使用するハイビジョン放送に比べ、携帯電話などの移動体で受信しやすいという特徴がある。
【０００７】
１セグメント放送では、通常の地上波放送と同じ番組を同時に流すサイマル放送が主に行われている。また、１セグメント放送では、映像の符号化規格として、Ｈ．２６４（ＭＰＥＧ−４  ＡＶＣ［Advanced Video Coding］）が採用されており、音声の符号化規格としては、先述のＡＡＣが採用されている。また、１セグメント放送にも、データ放送が多重化されている。
【０００８】
また、いずれの放送でも、放送番組ガイド（ＥＰＧ［Electronic Program Guide］）を作成するためのデータが送信されており、ＥＰＧから番組を探すことや、番組の録画や視聴を行うための予約を行うことができる。
【０００９】
なお、パーソナルコンピュータ用の外付けチューナモジュールは、１セグメント放送用のチューナモジュールが主流であるが、将来的には、４セグメント放送用や１２セグメント放送用の外付けチューナモジュールについても実用化が進むと考えられる。
【００１０】
上記に関連する従来技術としては、例えば、受信したデジタル放送信号を選局、復調、符号誤り訂正して放送番組コンテンツを生成し、暗号化してパーソナルコンピュータに伝送すると共に、デジタル放送信号に多重化されている認証パラメータを用いてパーソナルコンピュータと相互認証を行うチューナーモジュールを備えたデジタル放送受信装置が開示されている（特許文献１参照）。
【特許文献１】特開２００６−７４６８６号公報
【発明の開示】
【発明が解決しようとする課題】
【００１１】
一般的なパーソナルコンピュータにおいては、複数のアプリケーションソフトを同時に起動することが可能である。そのため、パーソナルコンピュータにおいて、デジタルテレビ放送を視聴する場合でも、デジタルテレビ放送視聴用のアプリケーションソフトのほかに、同時に複数のアプリケーションソフトを動作させている場合が考えられる。
【００１２】
しかしながら、外付けチューナモジュールから入力された１２セグメント放送の信号を処理し、パーソナルコンピュータのディスプレイ上に表示しながら、他のアプリケーションソフトを動作しようとした場合には、パーソナルコンピュータのシステム全体に相当の処理負荷がかかることが予想される。そのため、表示されているデジタルテレビ放送の映像や音声が途切れてしまうことも考えられる。
【００１３】
一方、デジタルテレビ放送を視聴しながら、主に他のアプリケーションソフトを動作させている場合は、いわゆる「ながら視聴」状態となり、デジタルテレビ放送の映像や音声の質よりも、テレビ視聴用以外のアプリケーションソフトの動作速度を優先させたい場合が考えられる。このような「ながら視聴」を行う場合には、デジタルテレビ放送を１セグメント放送で受信することにより、優先すべきアプリケーションソフトを快適に動作させつつ、デジタルテレビ放送を楽しむことが可能となる。
【００１４】
しかしながら、上記の「ながら視聴」中に、ユーザが予めＥＰＧ等を介して視聴することを予約しておいた番組コンテンツ（視聴予約された番組コンテンツ）が開始され、ユーザが「ながら視聴」をやめて、その番組コンテンツの視聴を主に行うようにした場合には、デジタルテレビ放送の映像や音声の質を優先させるべきところ、従来のパーソナルコンピュータでは、チューナモジュール等をユーザ自身が視聴に適した設定に変更する必要があった。すなわち、チューナモジュールが、１セグメント放送を受信している場合には、４セグメント放送である標準画質の放送又は１２セグメント放送である高品位画質の放送を受信するべく、ユーザ自身が受信形態の設定を行うと共に、ユーザが視聴を所望するサイズ等の条件でディスプレイに表示するべく、サイズ等の設定を行う必要があり、利便性が充分ではない場合があった。
【００１５】
本発明は、上記課題に鑑みてなされたものであって、視聴予約された番組コンテンツを利便性良好に視聴することが可能な放送受信方法、放送受信システム、パーソナルコンピュータ、及び、放送受信装置を提供することを目的としている。
【課題を解決するための手段】
【００１６】
上記目的を達成するために、本発明に係る放送受信方法は、画像表示装置にデジタル方式の放送を受信するチューナモジュールを外付けし、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換える構成（第１の構成）とされている。
【００１７】
なお、上記第１の構成から成る放送受信方法は、デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換える構成（第２の構成）にするとよい。
【００１８】
また、上記第１または第２の構成から成る放送受信方法において、前記複数セグメント放送は、４セグメントの標準画質放送または１２セグメントの高品位画質放送である構成（第３の構成）にするとよい。
【００１９】
また、上記第１〜第３いずれかの構成から成る放送受信方法において、前記画像表示装置は、ディスプレイを備えたパーソナルコンピュータである構成（第４の構成）にするとよい。
【００２０】
また、本発明に係る放送受信システムは、デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換える構成（第５の構成）とされている。
【００２１】
なお、上記第５の構成から成る放送受信システムは、デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換える構成（第６の構成）にするとよい。
【００２２】
また、上記第５または第６の構成から成る放送受信システムにおいて、前記複数セグメント放送は、４セグメントの標準画質放送または１２セグメントの高品位画質放送である構成（第７の構成）にするとよい。
【００２３】
また、上記第５〜第７いずれかの構成から成る放送受信システムにおいて、前記画像表示装置は、ディスプレイを備えたパーソナルコンピュータである構成（第８の構成）にするとよい。
【００２４】
また、本発明に係るパーソナルコンピュータは、デジタル方式の放送を受信するチューナモジュールを内蔵し、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換える構成（第９の構成）とされている。
【００２５】
なお、上記第９の構成から成るパーソナルコンピュータは、デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換える構成（第１０の構成）にするとよい。
【００２６】
また、上記第９または第１０の構成から成るパーソナルコンピュータにおいて、前記複数セグメント放送は、４セグメントの標準画質放送または１２セグメントの高品位画質放送である構成（第１１の構成）にするとよい。
【００２７】
また、本発明に係る放送受信装置は、モニタを備えたパーソナルコンピュータと通信可能に接続され、デジタル方式のテレビジョン放送を受信して前記モニタに出力する放送受信装置であって、１セグメント放送及び複数セグメント放送の一方を選択して受信する受信手段と、前記パーソナルコンピュータからの視聴予約された放送の受信を開始する旨の情報である受信指示情報を受け付ける視聴開始受付手段と、前記視聴開始受付手段によって受信指示情報が受け付けられた場合に、前記受信手段に対して複数セグメント放送を受信させる受信形態変更手段と、を備える構成（第１２の構成）とされている。
【００２８】
なお、上記第１２の構成から成る放送受信装置において、前記複数セグメント放送は、４セグメントの標準画質放送または１２セグメントの高品位画質放送である構成（第１３の構成）にするとよい。
【００２９】
また、上記第１３の構成から成る放送受信装置は、前記視聴開始受付手段によって受信指示情報が受け付けられた場合に、前記モニタに予め設定された所定の領域に受信された映像を表示するべく前記パーソナルコンピュータに対して指示情報を出力する映像表示制御手段を備える構成（第１４の構成）にするとよい。
【００３０】
また、上記第１４の構成から成る放送受信装置は、前記視聴開始受付手段によって受信指示情報が受け付けられた場合に、受信を開始する放送が前記高品位画質放送であるか否かに基づいて、前記モニタに表示する領域を設定する領域設定手段を備え、前記映像表示制御手段が、前記視聴開始受付手段によって受信指示情報が受け付けられた場合に、前記領域設定手段によって設定された領域に映像を表示するべく前記パーソナルコンピュータに対して指示情報を出力する構成（第１５の構成）にするとよい。
【００３１】
また、上記第１５の構成から成る放送受信装置において、前記領域設定手段は、前記視聴開始受付手段によって受信指示情報が受け付けられた場合に、前記パーソナルコンピュータから視聴予約された番組のジャンルを示す情報であるジャンル情報を取得して、取得されたジャンルが予め設定されたジャンルと一致するか否かに基づいて、前記モニタに表示する領域を設定する構成（第１６の構成）にするとよい。
【発明の効果】
【００３２】
本発明に係る放送受信方法、放送受信システム、パーソナルコンピュータによれば、デジタル放送を１セグメント放送で受信しているときに、予め視聴予約された番組コンテンツの開始時刻となったとき、或いは、予め指定された視聴開始時刻となったとき、これを検知して複数セグメント放送の受信に切り換えることができ、また、デジタル放送を複数セグメント放送で受信しているときに、予め視聴予約された番組コンテンツの終了時刻となったとき、或いは、予め指定された視聴終了時刻となったとき、これを検知して１セグメント放送の受信に切り換えることができるので、視聴予約された番組コンテンツを利便性良好に視聴することが可能となる。
【００３３】
また、上記第１２の構成から成る放送受信装置によれば、受信手段によって、１セグメント放送及び複数セグメント放送の一方が選択して受信され、パーソナルコンピュータからの視聴予約された放送の受信を開始する旨の情報である受信指示情報が受け付けられ、受信指示情報が受け付けられた場合に、受信手段を介して複数セグメント放送が受信されるため、視聴予約された番組を利便性良好に視聴することができる。
【００３４】
すなわち、パーソナルコンピュータからの視聴予約された放送の受信を開始する旨の情報である受信指示情報が受け付けられた場合に、受信手段を介して複数セグメント放送が受信されるため、ユーザが複数セグメント放送を受信するべく設定する必要がないので、視聴予約された番組を利便性良好に視聴することができるのである。
【００３５】
また、上記第１３の構成から成る放送受信装置によれば、複数セグメント放送が、４セグメント放送の標準画質放送または１２セグメント放送の高品位画質放送であるため、視聴予約された番組を利便性良好に視聴することができる。
【００３６】
すなわち、パーソナルコンピュータからの視聴予約された放送の受信を開始する旨の情報である受信指示情報が受け付けられた場合に、受信手段を介して４セグメントの標準画質放送または１２セグメントの高品位画質放送が受信されるため、ユーザが標準画質放送又は高品位画質放送を受信するべく設定する必要がないので、視聴予約された番組を利便性良好に視聴することができるのである。
【００３７】
また、上記第１４の構成から成る放送受信装置によれば、受信指示情報が受け付けられた場合に、モニタに予め設定された所定の領域に受信された映像を表示するべくパーソナルコンピュータに対して指示情報が出力されるため、視聴予約された番組を更に利便性良好に視聴することができる。
【００３８】
すなわち、受信指示情報が受け付けられた場合に、モニタに予め設定された所定の領域に受信された映像を表示するべくパーソナルコンピュータに対して指示情報が出力されるため、所定の領域をユーザが視聴を所望する領域に予め設定しておくことによって、ユーザが視聴をモニタの所望する領域に表示するべく設定する必要がないため、視聴予約された番組を更に利便性良好に視聴することができるのである。
【００３９】
また、上記第１５の構成から成る放送受信装置によれば、受信指示情報が受け付けられた場合に、受信を開始する放送が高品位画質放送であるか否かに基づいて、モニタに表示する領域が設定され、設定された領域に映像を表示するべくパーソナルコンピュータに対して指示情報が出力されるため、視聴予約された番組を更に利便性良好に視聴することができる。
【００４０】
すなわち、受信指示情報が受け付けられた場合に、受信を開始する放送が高品位画質放送であるか否かに基づいて、モニタに表示する領域が設定され、設定された領域に映像を表示するべくパーソナルコンピュータに対して指示情報が出力されるため、例えば、受信を開始する放送が高品位画質放送である場合には、映像を表示する領域としてモニタの画面全体を設定し、受信を開始する放送が標準画質放送である場合には、映像を表示する領域としてモニタの一部の領域（例えば、画面全体の２／３の領域）を設定することによって、受信される放送の画質に適した領域に映像が表示されるので、視聴予約された番組を更に利便性良好に視聴することができるのである。
【００４１】
また、上記第１６の構成から成る放送受信装置によれば、受信指示情報が受け付けられた場合に、パーソナルコンピュータから視聴予約された番組のジャンルを示す情報であるジャンル情報が取得されて、取得されたジャンルが予め設定されたジャンルと一致するか否かに基づいて、モニタに表示する領域が設定され、設定された領域に映像を表示するべくパーソナルコンピュータに対して指示情報が出力されるため、視聴予約された番組を更に利便性良好に視聴することができる。
【００４２】
すなわち、視聴予約された番組のジャンルが予め設定されたジャンルと一致するか否かに基づいて、モニタに表示する領域が設定され、設定された領域に映像を表示するべくパーソナルコンピュータに対して指示情報が出力されるため、例えば、ユーザが映像を画面全体に表示して視聴することを所望するジャンルを予め設定しておくことによって、設定されたジャンルに属する番組が視聴予約されている場合には、映像が画面全体に表示されるので、視聴予約された番組を更に利便性良好に視聴することができるのである。
【発明を実施するための最良の形態】
【００４３】
以下に本発明の実施形態を、図面を参照しながら説明する。図１は、本発明に係るデジタル放送受信機の構成の一例を示す構成図である。デジタル放送受信機１（放送受信装置に相当する）は、外付けチューナモジュールであり、パーソナルコンピュータ２と通信可能に接続されている。
【００４４】
デジタル放送受信機１は、パーソナルコンピュータ２を介してユーザからの操作入力を受け付けて、受け付けた操作入力に基づいて、デジタル方式のテレビジョン放送を受信して、受信された映像情報及び音声情報等をパーソナルコンピュータ２に対して出力するものである。
【００４５】
また、デジタル放送受信機１は、受信部１１、ＣＰＵ１２、ＲＡＭ１３、ＵＳＢインターフェイス部１４、カードインターフェイス部１５、及び、バス１６を備えている。
【００４６】
受信部１１（受信手段に相当する）は、デジタル方式のテレビジョン放送を受信して復調し、復調した情報にデスクランブル処理や暗号化処理を施すことで生成したトランスポートストリーム（以下、ＴＳ［Transport Stream］と呼ぶ）をＵＳＢインターフェイス部１４を介してパーソナルコンピュータ２に出力するものであって、アンテナ部１１１、チューナ部１１２、復調部１１３、デスクランブル処理部１１４、及び、暗号化部１１５を備えている。また、受信部１１は、パーソナルコンピュータ２のＣＰＵ２３（図２を用いて後述する受信形態変更部２３３）から、ＣＰＵ１２を介して伝達される指示に従って、１セグメント放送（以下、「１セグ放送」という）、及び、複数セグメント放送の一方を選択して受信するものである。
【００４７】
なお、上記した複数セグメント放送の一例としては、４セグメントの標準画質放送（ＳＤ［Standard Definition Television］放送）、若しくは、１２セグメントの高品位画質放送（ＨＤ［High Definition Television］放送、いわゆるハイビジョン放送）を挙げることができる。
【００４８】
アンテナ部１１１は、テレビジョン放送波（例えば地上デジタル放送波）を受信するものである。チューナ部１１２は、アンテナ部１１１で受信されたテレビジョン放送波からパーソナルコンピュータ２を介して予め設定された目的のチャンネルの放送を選局するものである。ここで選局された信号には、１セグ放送と複数セグメント放送が多重されており、どちらかを選択することが可能である。復調部１１３は、チューナ部１１２により選局された信号を復調し、誤り符号訂正処理等を施すものである。
【００４９】
デスクランブル処理部１１４は、復調部１１３から出力される出力情報が、スクランブル処理を施された情報である場合（例えば、受信される放送が有料のスクランブル放送である場合）に、カードインターフェイス部１５に装着されたＩＣカード３に格納された情報に基づいて、復調部１１３から出力される出力情報にデスクランブル処理を施すものである。暗号化部１１５は、デスクランブル処理部１１４から出力される出力情報に、予め設定された所定の暗号化処理（例えば、ＤＥＳ［Data Encryption Standard］や、ＡＥＳ［Advanced Encryption Standard］に基づく暗号化処理）を施し、ＵＳＢインターフェイス部１４を介してパーソナルコンピュータ２に出力するものである。
【００５０】
ＣＰＵ［Central Processing Unit］１２は、パーソナルコンピュータ２から与えられる指令に基づいて、デジタル放送受信機１全体の動作を制御するものである。また、ＣＰＵ１２は、デジタル放送受信機１とパーソナルコンピュータ２との相互認証処理も行う。ＲＡＭ［Random Access Memory］１３は、チャンネル情報等の種々の情報を格納するものである。ＵＳＢ［Universal Serial Bus］インターフェイス部１４は、ＵＳＢ方式によって、パーソナルコンピュータ２と通信を行うものである。カードインターフェイス部１５は、ＩＣカード３が着脱自在に構成され、装着されたＩＣカード３から、デスクランブル処理部１１４において用いられる情報（鍵情報等）を読み出すものである。バス１６は、デジタル放送受信機１に配設された各機器間において情報を伝送するものである。
【００５１】
次に、デジタル放送受信機１が放送を受信する場合の動作について説明する。まず、送信されてきたデジタル放送波がアンテナ部１１１で受信される。パーソナルコンピュータ２を介して選局操作が受け付けられた場合には、チューナ部１１２によって受信するトランスポンダ［Transponder］の切り換えが行われる。受信されたデジタル放送波は、復調部１１３によって復調される。復調部１１３によって復調された情報は、デスクランブル処理部１１４によってデスクランブル処理が施され、暗号化部１１５によって、暗号化処理が施されて、ＵＳＢインターフェイス部１４を介してパーソナルコンピュータ２に出力される。
【００５２】
一方、パーソナルコンピュータ２は、デジタル放送受信機１の受信部１１を介してＥＰＧ［Electronic Program Guide］を取得し、取得されたＥＰＧ等を介して予め視聴する番組を予約する（＝視聴予約をする）機能を備え、視聴予約された番組をデジタル放送受信機１に受信させ、デジタル放送受信機１から出力される音声情報及び映像情報にそれぞれ対応する音声及び映像を出力するものである。なお、パーソナルコンピュータ２は、視聴予約を行う場合には、視聴を所望する番組の開始日時情報、終了日時情報、及び、受信する放送の周波数帯域を示すチャンネル情報を設定するものである。
【００５３】
また、パーソナルコンピュータ２は、インターフェイスコントローラ２０、ディスプレイ２１、スピーカ２２、ＣＰＵ２３、メモリ２４、ＨＤＤ２５、キーボード２６、Ｉ／Ｏコントローラ２７、ＰＣＩブリッジ２８、及び、バス２９を備えている。
【００５４】
インターフェイスコントローラ２０は、デジタル放送受信機１とパーソナルコンピュータ２との間における信号の授受を制御する手段である。
【００５５】
ディスプレイ２１（モニタに相当する）は、ＬＣＤ［Liquid Crystal Display］、ＰＤＰ［Plasma Display Panel］等を備え、デジタル放送受信機１から入力された映像情報に対応する映像を外部から視認可能に表示するものである。表示コントローラ２１１は、デジタル放送受信機１から入力された映像情報に対応する映像をディスプレイ２１に表示するものである。ＶＲＡＭ２１２は、表示コントローラ２１１で処理される表示データを一時的に記憶する手段である。スピーカ２２は、デジタル放送受信機１から入力された音声情報に対応する音声を出力するものである。音声コントローラ２２１は、デジタル放送受信機１から入力された音声情報に対応する音声をスピーカ２２に出力するものである。
【００５６】
ＣＰＵ２３は、パーソナルコンピュータ２全体の動作を制御するものであり、さらにはデジタル放送受信機１を含めたデジタル放送受信システム全体の動作を制御するものである。なお、ＣＰＵ２３からデジタル放送受信機１の各部（例えば受信部１１）に対する指示は、デジタル放送受信機１のＣＰＵ１２を介して、間接的に伝達されるものであるが、本発明の構成はこれに限定されるものではなく、ＣＰＵ２３からデジタル放送受信機１の各部に対して、直接的に指示を伝達する構成としても構わない。
【００５７】
メモリ２４は、ＲＡＭ、ＲＯＭ［Read Only Memory］等からなり、視聴予約に関する情報（＝視聴を所望する番組の開始日時情報、終了日時情報、及び、受信する放送の周波数帯域を示すチャンネル情報）等の種々の情報を格納するものである。ＨＤＤ［Hard Disk Drive］２５は、デジタル放送受信機１によって受信された映像情報等を格納するものである。
【００５８】
キーボード２６は、テンキー、アルファベットキー等の種々のキーを備え、ユーザからの操作入力を受け付けて、受け付けられた操作入力に対応する信号をＩ／Ｏコントローラ２７を介してＣＰＵ２３に出力するものである。Ｉ／Ｏ［Input/Output］コントローラ２７は、ＨＤＤ２５及びキーボード２６とバス２９との間に介設され、ＣＰＵ２３からの指示に従って、ＨＤＤ２５及びキーボード２６の入出力動作を制御するものである。ＰＣＩ［Peripheral Component Interconnect］ブリッジ２８は、ＣＰＵ２３、表示コントローラ２１１、及び、音声コントローラ２２１をバス２９と接続し、相互に通信できるようにするための回路である。バス２９は、パーソナルコンピュータ２に配設された各機器間において情報を伝送するものである。
【００５９】
放送番組コンテンツの視聴に際して、上記構成から成るパーソナルコンピュータ２は、インターフェイスコントローラ２０を介して、デジタル放送受信機１から暗号化されたＴＳを受け取り、ＣＰＵ２３を用いて、ＨＤＤ２５にインストールされた所定の制御プログラム（デジタル放送受信用のソフトウェア）を実行する。これにより、暗号の復号処理がソフトウェア処理として実施され、その後、デコード処理がソフトウェア処理として実施される。このとき、ＨＤ放送（１２セグメント放送）であれば、ＭＰＥＧ−２デコードが行われ、１セグ放送であれば、Ｈ．２６４デコードが行われる。
【００６０】
なお、上記の説明では、暗号の復号化処理、並びに、デコード処理をソフトウェア処理として実施する構成を例に挙げて説明を行ったが、本発明の構成はこれに限定されるものではなく、専用のハードウェアを追加すれば、ハードウェア処理として上記処理を実施することも可能である。
【００６１】
その後、デコードされたデータには、フィルタリング処理（各種データの選別処理）が施され、映像データは、表示コントローラ２１１に入力された後、ディスプレイ２１に表示される。また、音声データは、音声コントローラ２２１に入力された後、デジタル／アナログ変換処理や増幅処理等を経て、スピーカ２２を鳴動させる。また、放送番組ガイド（ＥＰＧ［Electronic Program Guide］）用のデータは、ＣＰＵ２３で解析された後、不図示のＧＵＩ［Graphical User Interface］処理手段で映像データに多重化され、映像に合成して、ディスプレイ２１に表示される。
【００６２】
一方、放送番組コンテンツの録画時には、上記の動作に加えて、インターフェイスコントローラ２０に入力される暗号化されたＴＳがＩ／Ｏコントローラ２７を経由してＨＤＤ２５に記録される。
【００６３】
また、放送番組コンテンツの再生時には、ＨＤＤ２５に記録されたＴＳがＩ／Ｏコントローラ２７、インターフェイスコントローラ２０、及び、ＵＳＢインターフェイス部１４を介して、デスクランブル処理部１１４に送られ、スクランブルの解除処理が行われる。そして、暗号化処理部１１５では、デスクランブル処理部１１４から出力される出力情報に対する所定の暗号化処理が施された後、ＵＳＢインターフェイス部１４を介してパーソナルコンピュータ２に再出力される。以降、パーソナルコンピュータ２では、上述した放送番組コンテンツの視聴時と同様の処理が行われる。
【００６４】
なお、本発明は、上記のような放送番組コンテンツの視聴動作、録画動作、及び、再生動作に加えて、デジタル放送を１セグメント放送で受信しているとき（例えば「ながら視聴」をしているとき）に、予め視聴予約された番組コンテンツの開始時刻となったとき、或いは、予め指定された視聴開始時刻となったとき、これを検知して複数セグメント放送の受信に自動で切り換える点、さらには、デジタル放送を複数セグメント放送で受信しているときに、予め視聴予約された番組コンテンツの終了時刻となったとき、或いは、予め指定された視聴終了時刻となったとき、これを検知して１セグメント放送の受信に自動で切り換える点に特徴を有している。以下では、上記の特徴的動作を実現するための構成について、詳細な説明を行う。
【００６５】
図２は、本発明に係るデジタル放送受信システムにおける主要部の機能構成の一例を示すブロック図である。パーソナルコンピュータ２のＣＰＵ２３は、機能的に、視聴受付部２３１、チャンネル設定部２３２、受信形態変更部２３３、領域設定部２３４、及び、映像表示制御部２３５を備え、メモリ２４は、機能的に、受信条件記憶部２４１を備えている。
【００６６】
ここでは、ＣＰＵ２３が、ＨＤＤ２５にインストールされた制御プログラムを読み出して実行することにより、視聴受付部２３１、チャンネル設定部２３２、受信形態変更部２３３、領域設定部２３４、映像表示制御部２３５等の機能部として機能すると共に、メモリ２４を、受信条件記憶部２４１等の機能部として機能させるものである。
【００６７】
また、メモリ２４に格納された各種データのうち、装着脱可能な記録媒体に格納され得るデータは、例えばハードディスクドライブ、光ディスクドライブ、フレキシブルディスクドライブ、シリコンディスクドライブ、カセット媒体読み取り機等のドライブで読み取り可能にしてもよく、この場合、記録媒体は、例えばハードディスク、光ディスク、フレキシブルディスク、ＣＤ［Compact Disc］、ＤＶＤ［Digital Versatile Disc］、半導体メモリ等である。
【００６８】
受信条件記憶部２４１は、視聴受付部２３１によって視聴予約された放送の受信を開始する旨の情報である受信開始指示情報が受け付けられた時点で、デジタル放送受信機１の受信部１１（図２では図示せず）に設定されている、１セグメント放送又は複数セグメント放送のどちらを受信するかを示すセグメント情報、及び、受信中のチャンネルを示すチャンネル情報を格納するとともに、パーソナルコンピュータ２のディスプレイ２１において、受信された映像が表示される位置を示す表示位置情報、及び、表示されるサイズを示す表示サイズ情報を格納するものである。
【００６９】
受信条件記憶部２４１に格納されるセグメント情報、チャンネル情報、表示位置情報及び表示サイズ情報は、視聴受付部２３１によって書き込まれ、チャンネル設定部２３２、受信形態変更部２３３、及び、映像表示制御部２３５によって読み出されるものである。
【００７０】
視聴受付部２３１（視聴開始受付手段に相当する）は、予め設定された所定周期（以下「確認周期」という：例えば１０秒周期）で、視聴予約された放送の受信を開始する旨の情報である受信開始指示情報（受信指示情報に相当する）、及び、視聴予約された番組が放送される周波数帯域に対応するチャンネル情報を監視すると共に、視聴予約された放送の受信を終了する旨の情報である受信終了指示情報を監視するものである。
【００７１】
ここで、視聴受付部２３１では、視聴予約された番組の開始日時に到達した時点で、視聴予約された放送の受信を開始する旨の情報である受信開始指示情報及び視聴予約された番組が放送されるチャンネル情報が確認され、視聴予約された番組の終了日時に到達した時点で、視聴予約された放送の受信を終了する旨の情報である受信終了指示情報が確認される。
【００７２】
また、視聴受付部２３１は、視聴予約された放送の受信を開始する旨の情報である受信開始指示情報を確認した場合は、受信部１１に設定されているセグメント情報、及び、チャンネル情報を受信条件記憶部２４１に書き込むと共に、パーソナルコンピュータ２のディスプレイ２１における表示位置情報、及び、表示サイズ情報を取得して、受信条件記憶部２４１に書き込むものである。
【００７３】
チャンネル設定部２３２は、視聴受付部２３１によって確認されたチャンネル情報に対応する放送（視聴予約された番組）を受信するべく、受信部１１を設定するものである。また、チャンネル設定部２３２は、視聴受付部２３１によって、視聴予約された放送の受信を終了する旨の情報である受信終了指示情報が確認された場合に、受信部１１に対して、受信条件記憶部２４１に格納されたチャンネル情報に対応するチャンネル（＝視聴予約された番組を受信する前に設定されていたチャンネル）を設定するものである。
【００７４】
受信形態変更部２３３（受信形態変更手段に相当する）は、視聴受付部２３１によって、視聴予約された放送の受信を開始する旨の情報である受信開始指示情報が確認された場合に、受信部１１に対して複数セグメント放送（ＳＤ放送又はＨＤ放送）を受信させるものである。なお、受信形態変更部２３３は、視聴予約された放送がＳＤ放送である場合には、受信部１１に対してＳＤ放送を受信させ、視聴予約された放送がＨＤ放送である場合には、受信部１１に対してＨＤ放送を受信させるものである。
【００７５】
また、受信形態変更部２３３は、視聴受付部２３１によって、視聴予約された放送の受信を終了する旨の情報である受信終了指示情報が確認された場合に、受信部１１に対して、受信条件記憶部２４１に格納されたセグメント情報に対応する放送形態（１セグ放送又は複数セグメント放送）で受信させるものである。
【００７６】
領域設定部２３４（領域設定手段に相当する）は、視聴受付部２３１によって受信開始指示情報が確認された受け付けられた場合に、受信を開始する放送がＨＤ放送であるか否かに基づいて、ディスプレイ２１に表示する領域を設定するものである。また、領域設定部２３４は、視聴受付部２３１によって受信開始指示情報が確認された場合に、視聴予約された番組のジャンルを示す情報であるジャンル情報を取得して、取得されたジャンルが予め設定されたジャンルと一致するか否かに基づいて、ディスプレイ２１に表示する領域を設定するものである。
【００７７】
ここでは、領域設定部２３４は、受信を開始する放送がＨＤ放送であるか、又は、取得されたジャンルが予め設定されたジャンル（例えば、スポーツ）と一致する場合には、映像を表示する領域を、ディスプレイ２１の画面全体（ここでは、図５（ｃ）に示すディスプレイ２１の画面全体に設定された映像表示部４２１）に設定し、受信を開始する放送がＳＤ放送であり、且つ、取得されたジャンルが予め設定されたジャンルと一致しない場合には、映像を表示する領域を、ディスプレイ２１の画面の一部領域（例えばＳＤ放送の映像を表示するのに好適な領域（例えば画面全体の２／３の領域）：ここでは、図５（ｂ）に示すディスプレイ２１の画面右上に設定された映像表示部４１１））に設定するものとされている。
【００７８】
映像表示制御部２３５（映像表示制御手段に相当する）は、視聴受付部２３１によって受信開始指示情報が確認された場合に、領域設定部２３４によって設定された領域に映像を表示するべく、表示コントローラ２１１に対して指示情報を出力するものである。
【００７９】
また、映像表示制御部２３５は、視聴受付部２３１によって、視聴予約された放送の受信を終了する旨の情報である受信終了指示情報が確認された受け付けられた場合に、ディスプレイ２１に受信条件記憶部２４１に格納された表示位置情報及び表示サイズ情報にそれぞれ対応する位置及びサイズ（ここでは、図５（ａ）に示すディスプレイ２１の画面右上に設定された映像表示部４０１）で映像を表示するべく、表示コントローラ２１１に対して指示情報を出力するものである。
【００８０】
図３、図４は、デジタル放送受信システム（主にＣＰＵ２３）の動作の一例を示すフローチャートである。まず、視聴受付部２３１によって、確認周期であるか否か（＝受信開始指示情報等が受け付けられたか否かを判定するタイミングであるか否か）の判定が行われる（Ｓ１０１）。確認周期ではないと判定された場合（Ｓ１０１でＮＯ）には、処理が待機状態とされる。確認周期であると判定された場合（Ｓ１０１でＹＥＳ）には、視聴受付部２３１によって、受信開始指示情報及びチャンネル情報が受け付けられたか否か（＝視聴予約された番組の開始時刻に到達したか否か）の判定が行われる（Ｓ１０３）。
【００８１】
受信開始指示情報及びチャンネル情報が受け付けられていないと判定された場合（Ｓ１０３でＮＯ）には、処理がステップＳ１０１に戻され、ステップＳ１０１以降の処理が繰り返し実行される。受信開始指示情報及びチャンネル情報が受け付けられたと判定された場合（Ｓ１０３でＹＥＳ）には、視聴受付部２３１によって、セグメント情報、チャンネル情報、表示位置情報、及び、表示サイズ情報が取得されて、受信条件記憶部２４１に格納される（Ｓ１０５）。そして、チャンネル設定部２３２によって、ステップＳ１０３において受け付けられたチャンネル情報に対応する放送（視聴予約された番組）を受信するべく、受信部１１が設定される（Ｓ１０７）。
【００８２】
次いで、受信形態変更部２３３によって、受信部１１を介して１セグ放送を受信中であるか否かの判定が行われる（Ｓ１０９）。１セグ放送を受信中ではないと判定された場合（Ｓ１０９でＮＯ）には、処理が図４に示すステップＳ１１３に進められる。１セグ放送を受信中であると判定された場合（Ｓ１０９でＹＥＳ）には、ステップＳ１０７で設定されたチャンネル情報に対応する放送に対応するＳＤ放送又はＨＤ放送が受信される（Ｓ１１１）。
【００８３】
ステップＳ１０９でＮＯの場合、又は、ステップＳ１１１の処理が終了した場合には、図４に示すように、領域設定部２３４によって、ＨＤ放送を受信中であるか否かの判定が行われる（Ｓ１１３）。ＨＤ放送を受信中であると判定された場合（Ｓ１１３でＹＥＳ）には、処理がステップＳ１１５に進められる。ＨＤ放送を受信中ではない（＝ＳＤ放送を受信中である）と判定された場合（Ｓ１１３でＮＯ）には、領域設定部２３４によって、視聴予約された番組のジャンル情報が取得される（Ｓ１１７）。そして、領域設定部２３４によって、ステップＳ１１７において取得されたジャンルが予め設定されたジャンルと一致するか否かの判定が行われる（Ｓ１１９）。予め設定されたジャンルと一致すると判定された場合（Ｓ１１９でＹＥＳ）には、処理がステップＳ１１５に進められる。予め設定されたジャンルと一致しないと判定された場合（Ｓ１１９でＮＯ）には、領域設定部２３４によって、映像を表示する領域がディスプレイ２１の画面の一部領域（ここでは、図５（ｂ）に示す映像表示部４１１）に設定されて、映像表示制御部２３５によって、設定された領域に映像が表示され（Ｓ１２１）、処理がステップＳ１２３に進められる。
【００８４】
ステップＳ１１３でＹＥＳの場合、又は、ステップＳ１１９でＹＥＳの場合には、領域設定部２３４によって、映像を表示する領域がディスプレイ２１の画面全体（ここでは、図５（ｃ）に示す映像表示部４２１）に設定され、映像表示制御部２３５によって、設定された領域に映像が表示される（Ｓ１１５）。ステップＳ１１５の処理が終了した場合、又は、ステップＳ１２１の処理が終了した場合には、視聴受付部２３１によって、確認周期であるか否か（＝受信終了指示情報等が受け付けられたか否かを判定するタイミングであるか否か）の判定が行われる（Ｓ１２３）。確認周期ではないと判定された場合（Ｓ１２３でＮＯ）には、処理が待機状態とされる。確認周期であると判定された場合（Ｓ１２３でＹＥＳ）には、視聴受付部２３１によって、受信終了指示情報が受け付けられたか否か（＝視聴予約された番組の終了時刻に達したか否か）の判定が行われる（Ｓ１２５）。
【００８５】
受信終了指示情報が受け付けられていないと判定された場合（Ｓ１２５でＮＯ）には、処理がステップＳ１２３に戻され、ステップＳ１２３以降の処理が繰り返し実行される。受信終了指示情報が受け付けられたと判定された場合（Ｓ１２５でＹＥＳ）には、映像表示制御部２３５によって、受信条件記憶部２４１に格納された表示位置情報及び表示サイズ情報にそれぞれ対応する位置及びサイズで映像が表示される（Ｓ１２７）。そして、受信形態変更部２３３により、受信部１１を介して受信条件記憶部２４１に格納されたセグメント情報に対応する放送形態（１セグ放送又は複数セグメント放送）で受信される（Ｓ１２９）。次いで、チャンネル設定部２３２によって、受信部１１に対して、受信条件記憶部２４１に格納されたチャンネル情報に対応するチャンネルに設定され（Ｓ１３１）、処理が図３に示すステップＳ１０１に戻され、ステップＳ１０１以降の処理が繰り返し実行される。
【００８６】
図５は、図４に示すステップＳ１１５、Ｓ１２１又は、ステップＳ１２７においてディスプレイ２１に表示される画面の一例を示す画面図である。図５（ａ）は、ステップＳ１２７等においてディスプレイ２１に表示される１セグ放送を受信して表示する場合に適した画面４００である。図５（ｂ）は、図４に示すステップＳ１２１において表示されるＳＤ放送を受信して表示する場合に適した画面４１０である。図５（ｃ）は、図４に示すステップＳ１１５において表示されるＨＤ放送を受信して表示する場合に適した画面４２０である。
【００８７】
図５（ａ）に示すように、画面４００の右上部に映像表示部４０１が表示されている。映像表示部４０１は、受信部１１を介して１セグ放送が受信されている場合に映像を好適に表示する狭い領域（例えば、４０ｍｍ×６０ｍｍ）である。図５（ｂ）に示すように、画面４１０の右上部に、映像表示部４１１が表示されている。映像表示部４１１は、受信部１１を介してＳＤ放送が受信されている場合に、映像を好適に表示する比較的広い領域（例えば、２００ｍｍ×３００ｍｍ）である。図５（ｃ）に示すように、画面４２０の全体に、映像表示部４２１が表示されている。映像表示部４２１は、受信部１１を介してＨＤ放送が受信されている場合に映像を好適に表示する広い領域（ここでは、画面全体の領域）である。
【００８８】
このようにして、受信部１１により、１セグメント放送及び複数セグメント放送（＝ＳＤ放送又はＨＤ放送）の一方が選択して受信され、視聴受付部２３１によって、視聴予約された放送の受信を開始する旨の情報である受信開始指示情報が確認され、受信開始指示情報が確認された場合に、受信部１１を介して複数セグメント放送が受信されるため、視聴予約された番組を利便性良好に視聴することができる。
【００８９】
すなわち、視聴受付部２３１によって、視聴予約された放送の受信を開始する旨の情報である受信開始指示情報が確認された場合に、受信部１１を介して複数セグメント放送が受信されるため、ユーザが複数セグメント放送を受信するべく設定する必要がないので、視聴予約された番組を利便性良好に視聴することができる。
【００９０】
また、複数セグメント放送が、４セグメント放送である標準画質の放送（＝ＳＤ放送）又は１２セグメント放送である高品位画質の放送（＝ＨＤ放送）であるため、視聴予約された番組を利便性良好に視聴することができる。
【００９１】
すなわち、視聴受付部２３１によって、視聴予約された放送の受信を開始する旨の情報である受信開始指示情報が確認された場合に、受信部１１を介して４セグメント放送である標準画質の放送（＝ＳＤ放送）又は１２セグメント放送である高品位画質の放送（＝ＨＤ放送）が受信されるため、ユーザが標準画質の放送又は高品位画質の放送を受信するべく設定する必要がないので、視聴予約された番組を利便性良好に視聴することができるのである。
【００９２】
更に、視聴受付部２３１によって、受信開始指示情報が確認された場合に、ディスプレイ２１に予め設定された所定の領域に受信された映像を表示するべく、表示コントローラ２１１に対して指示情報が出力されるため、視聴予約された番組を更に利便性良好に視聴することができる。
【００９３】
すなわち、視聴受付部２３１によって、受信開始指示情報が確認された場合に、ディスプレイ２１に予め設定された所定の領域（ここでは図５（ｂ）に示す映像表示部４１１又は図５（ｃ）に示す映像表示部４２１）に受信された映像を表示するべく、表示コントローラ２１１に対して指示情報が出力されるため、所定の領域をユーザが視聴を所望する領域に予め設定しておくことによって、ユーザが視聴をディスプレイ２１の所望する領域に表示するべく設定する必要がないため、視聴予約された番組を更に利便性良好に視聴することができるのである。
【００９４】
加えて、視聴受付部２３１により、受信開始指示情報が確認された場合に、受信を開始する放送が高品位画質の放送であるか否かに基づいて、ディスプレイ２１に表示する領域が設定され、設定された領域に映像を表示すべく、表示コントローラ２１１に対して指示情報が出力されるため、視聴予約された番組を更に利便性良好に視聴することができる。
【００９５】
すなわち、視聴受付部２３１によって、受信開始指示情報が確認された場合に、受信を開始する放送が高品位画質の放送であるか否かに基づいて、ディスプレイ２１に表示する領域が設定され、設定された領域に映像を表示するべく、表示コントローラ２１１に対して指示情報が出力されるため、例えば受信を開始する放送が高品位画質の放送（＝ＨＤ放送）である場合には、映像を表示する領域としてディスプレイ２１の画面全体（＝図５（ｃ）に示す映像表示部４２１）を設定し、受信を開始する放送が標準画質の放送（＝ＳＤ放送）である場合には、映像を表示する領域としてディスプレイ２１の一部の領域（例えば、画面全体の２／３の領域：図５（ｂ）に示す映像表示部４１１）を設定することによって、受信される放送の画質に適した領域に映像が表示されるので、視聴予約された番組を更に利便性良好に視聴することができるのである。
【００９６】
また、視聴受付部２３１により、受信開始指示情報が確認された場合に、視聴予約された番組のジャンルを示す情報であるジャンル情報が取得されて、取得されたジャンルが予め設定されたジャンルと一致するか否かに基づいて、ディスプレイ２１に表示する領域が設定され、設定された領域に映像を表示するべく、表示コントローラ２１１に対して指示情報が出力されるため、視聴予約された番組を更に利便性良好に視聴することができる。
【００９７】
すなわち、視聴予約された番組のジャンルが予め設定されたジャンルと一致するか否かに基づいて、ディスプレイ２１に表示する領域が設定され、設定された領域に映像を表示すべく、表示コントローラ２１１に対して指示情報が出力されるため、例えば、ユーザが映像を画面全体に表示して視聴することを所望するジャンル（例えば、スポーツ）を予め設定しておくことによって、設定されたジャンルに属する番組（例えば野球中継番組）が視聴予約されている場合には、映像が画面全体に表示されるので、視聴予約された番組を更に利便性良好に視聴することができるのである。
【００９８】
なお、予定時刻到来時における受信形態の自動切換処理については、図３、図４に示したフローチャートのほか、図６に示すフローチャートに従うものとしてもよい。
【００９９】
図６は、デジタル放送受信システム（主にＣＰＵ２３）の動作の別の一例を示すフローチャートである。
【０１００】
図６に示すように、ステップＳ２０１では、デジタル放送の受信が開始された後、他のアプリケーションソフトの動作を優先させるために、処理負荷の少ない１セグ放送が視聴されているものとする。
【０１０１】
ステップＳ２０２では、デジタル放送を１セグメント放送で受信しているときに、予めＥＰＧなどから視聴予約された番組コンテンツの開始時刻が到来したか否か、若しくは、予めメニュー画面などから指定された視聴開始時刻が到来したか否かの判断が行われる。ここで、所定の開始時刻が到来したと判断された場合には、フローがステップＳ２０３に進められる。一方、所定の開始時刻が到来していないと判断された場合には、フローがステップＳ２０１に戻される。なお、視聴予約された番組コンテンツが存在しない場合や、視聴開始時刻が指定されていない場合にも、フローはステップＳ２０１に戻される。
【０１０２】
ステップＳ２０２にて、所定の開始時刻が到来したと判断された場合、ステップＳ２０３では、放送受信モードが１セグモード（１セグ放送を受信するモード）から複数セグメントモード（複数セグメント放送を受信するモード）に自動的に切り換えられ、続くステップＳ２０４では、画質や音質の優れた複数セグメント放送の視聴が開始される。
【０１０３】
その後、ステップＳ２０５では、デジタル放送を複数セグメント放送で受信しているときに、予めＥＰＧなどから視聴予約された番組コンテンツの終了時刻が到来したか否か、若しくは、予めメニュー画面などから指定された視聴終了時刻が到来したか否かの判断が行われる。ここで、所定の終了時刻が到来したと判断された場合には、フローがステップＳ２０６に進められる。一方、所定の終了時刻が到来していないと判断された場合には、フローがステップＳ２０４に戻される。なお、視聴予約された番組コンテンツが存在せず視聴終了時刻も指定されていない場合（すなわち、予めメニュー画面等から視聴開始時刻のみが指定されていた場合）にも、フローはステップＳ２０１に戻される。
【０１０４】
ステップＳ２０５にて、所定の終了時刻が到来したと判断された場合、ステップＳ２０６では、放送受信モードが複数セグメントモードから１セグモードに自動的に切り換えられ、フローがＳ２０１に戻される。
【０１０５】
このような受信形態の自動切換処理により、パーソナルコンピュータ２上でデジタル放送の番組コンテンツを視聴しながら、他のアプリケーションソフトを同時に起動していた場合に、ユーザの所望する番組コンテンツを主に視聴する場合と、他のアプリケーションソフトを動作させながら、いわゆる「ながら視聴」を行う場合において、１セグモードと複数セグメントモードを自動的に切り換えることができるので、システム全体として、デジタル放送の信号処理に対する処理負担を軽減させること可能となり、延いては、パーソナルコンピュータ２を用いたデジタル放送視聴の利便性を向上させることが可能となる。
【０１０６】
また、本発明は、以下の形態（Ａ）〜（Ｅ）にも適用可能である。
【０１０７】
（Ａ）上記の実施形態では、放送受信装置が、デジタル方式のテレビジョン放送のみを受信するデジタル放送受信機１である場合について説明したが、放送受信装置が、デジタル方式のテレビジョン放送及びアナログ方式のテレビジョン放送を両方とも受信する放送受信機である形態でもよい。
【０１０８】
（Ｂ）上記の実施形態では、デジタル放送受信機１がパーソナルコンピュータ２と別の筐体である場合について説明したが、デジタル放送受信機１がパーソナルコンピュータ２と一体として構成されている形態でもよい。この場合には、デジタル放送受信機１とパーソナルコンピュータ２との間の通信が不要となるため、処理が簡略化される。
【０１０９】
図７は、デジタル放送受信機がパーソナルコンピュータと一体として構成された場合の構成の一例を示す構成図である。図７に示す構成のうち、図１に示す構成と同一のものについては、同一の参照符号を付すことで、その説明を省略する。図７に示すように、本形態（Ｂ）の場合には、図１に示すバス１６と、バス２９と、が接続されて一体としてバス２９Ａとして構成されている。また、ＣＰＵ１２及びＣＰＵ２３の機能は全て、ＣＰＵ２３Ａによって一元的に実現されている。すなわち、ＣＰＵ２３の視聴受付部２３１、チャンネル設定部２３２、受信形態変更部２３３、領域設定部２３４、映像表示制御部２３５等の機能部は、ＣＰＵ２３Ａによって実現されている。また、メモリ２４の受信条件記憶部２４１等の機能部は、メモリ２４Ａによって実現されている。なお、ＲＡＭ１３に格納される情報は、メモリ２４Ａに格納されている。
【０１１０】
（Ｃ）上記の実施形態では、ＣＰＵ２３が、視聴受付部２３１、チャンネル設定部２３２、受信形態変更部２３３、領域設定部２３４、映像表示制御部２３５等の機能部として機能する場合について説明したが、視聴受付部２３１、チャンネル設定部２３２、受信形態変更部２３３、領域設定部２３４、及び、映像表示制御部２３５のうち、少なくとも一の機能部が、回路等のハードウェアによって構成されている形態でもよい。
【０１１１】
（Ｄ）上記の実施形態では、デジタル放送受信機１において、１セグ放送と複数セグメント放送のどちらかを選択してデコードし、これをパーソナルコンピュータ２へ転送する構成を例に挙げて説明を行ったが、本発明の構成はこれに限定されるものではなく、ハードウェアの構成を変更することにより、デジタル放送受信機１において、１セグ放送と複数セグメント放送の両方を同時にデコードし、これをパーソナルコンピュータ２へ転送することも可能である。
【０１１２】
（Ｅ）上記の実施形態では、パーソナルコンピュータ２に搭載されるＣＰＵ２３を主体として、緊急放送受信時における受信形態の自動切換処理、ないし、文字情報の自動拡大表示処理を行う構成（言い換えれば、本発明に係る諸機能を実現する手段をパーソナルコンピュータ２側に集約した構成）を例に挙げて詳細な説明を行ったが、本発明の構成はこれに限定されるものではなく、デジタル放送受信機１をパーソナルコンピュータ２に外付けとした上で、デジタル放送受信機１に搭載されるＣＰＵ１２を主体として、上記と同様の処理を行う構成としても構わない。
【０１１３】
当該形態（Ｅ）を採用する場合には、パーソナルコンピュータ２に搭載されるＣＰＵ２３ではなく、デジタル放送受信機１に搭載されるＣＰＵ１２を用いて、図８に示す形で、視聴受付部１２１、チャンネル設定部１２２、受信形態変更部１２３、領域設定部１２４及び、映像表示制御部１２５などの機能部が実現されることになる。その際、先述の受信開始指示情報や受信終了指示情報などは、パーソナルコンピュータ２のＣＰＵ２３から受け取ることになる。また、メモリ２４に格納される情報は、ＲＡＭ１３に格納される形となる。すなわち、メモリ２４の受信条件記憶部２４１等の機能部は、ＲＡＭ１３により実現されることになる。
【０１１４】
すなわち、ＣＰＵ１２が、図略のＲＯＭ等に予め格納された制御プログラムを読み出して実行することにより、視聴受付部１２１、チャンネル設定部１２２、受信形態変更部１２３、領域設定部１２４、映像表示制御部１２５等の機能部として機能すると共に、ＲＡＭ１３を、受信条件記憶部１３１等の機能部として機能させるものである。
【０１１５】
要するに、本発明の実施に際して、予定時刻到来時における受信形態の自動切換処理を行う主体は、デジタル放送受信機１、及び、パーソナルコンピュータ２のいずれであってもよく、外付けチューナモジュール（放送受信装置）のほか、上記の各処理を実現し得る放送受信方法、放送受信システム、並びに、パーソナルコンピュータ（チューナモジュールを接続するとともに、ＴＶ制御用プログラムがインストールされたもの）のいずれについても、本発明の技術的範囲に属すると言える。
【産業上の利用可能性】
【０１１６】
本発明は、デジタル放送の受信が可能な放送受信方法、放送受信システム、パーソナルコンピュータ、及び、放送受信装置（チューナモジュール）に利用することができる。
【図面の簡単な説明】
【０１１７】
【図１】は、本発明に係るデジタル放送受信機の構成の一例を示す構成図である。
【図２】は、本発明に係るデジタル放送受信システムにおける主要部の機能構成の一例を示すブロック図である。
【図３】は、デジタル放送受信システム（主にＣＰＵ２３）の動作の一例を示すフローチャート（前半部）である。
【図４】は、デジタル放送受信システム（主にＣＰＵ２３）の動作の一例を示すフローチャート（後半部）である。
【図５】は、図４に示すステップＳ１１５、Ｓ１２１又は、ステップＳ１２７においてディスプレイに表示される画面の一例を示す画面図である。
【図６】は、デジタル放送受信システム（主にＣＰＵ２３）の動作の別の一例を示すフローチャート（後半部）である。
【図７】は、デジタル放送受信機がパーソナルコンピュータと一体として構成された場合の構成の一例を示す構成図である。
【図８】は、本発明に係るデジタル放送受信システムにおける主要部の機能構成の別の一例を示すブロック図である。
【符号の説明】
【０１１８】
１    デジタル放送受信機（放送受信装置）
１１    受信部（受信手段）
１１２    チューナ部
１２    ＣＰＵ
１３    ＲＡＭ
２    パーソナルコンピュータ
２１    ディスプレイ（モニタ）
２２    スピーカ
２３    ＣＰＵ
２３１    視聴受付部（視聴開始受付手段）
２３２    チャンネル設定部（チャンネル設定手段）
２３３    受信形態変更部（受信形態変更手段）
２３４    領域設定部（領域設定手段）
２３５    映像表示制御部（映像表示制御手段）
２４    メモリ
２４１    受信条件記憶部
２６    キーボード
【図１】
0004841510.tif 000002
【図２】
0004841510.tif 000003
【図３】
0004841510.tif 000004
【図４】
0004841510.tif 000005
【図５】
0004841510.tif 000006
【図６】
0004841510.tif 000007
【図７】
0004841510.tif 000008
【図８】
0004841510.tif 000009